(57)【要約】【課題】構造を簡素化して、簡単に組み立て、および製造できるエスカッションおよび車載用音響装置を提供する。【解決手段】エスカッション本体２１の裏面に基板２３、タッチパネル２５および液晶２７を順に配置し、さらにカバー３３を配置し、このカバー３３をエスカッション本体２１の裏面にねじ止めしたエスカッションにおいて、エスカッション本体２１の裏面に略Ｌ字形の位置決め突起３７を設け、略Ｌ字形の位置決め突起３７により、少なくとも基板２３、タッチパネル２５を位置決めした。【選択図】図２
2007308054.tif 000002
【特許請求の範囲】
【請求項１】
エスカッション本体の裏面に基板、タッチパネルおよび液晶を順に配置し、さらにカバーを配置し、このカバーを前記エスカッション本体の裏面にねじ止めしたエスカッションにおいて、前記エスカッション本体の裏面に略Ｌ字形の位置決め突起を設け、略Ｌ字形の位置決め突起により、少なくとも前記基板、前記タッチパネルを位置決めしたことを特徴とするエスカッション。
【請求項２】
前記突起が前記基板、前記タッチパネルのそれぞれの隅部に対応して設けられていることを特徴とする請求項１に記載のエスカッション。
【請求項３】
前記基板が前記エスカッション本体の３つの辺に対応して略コ字形に形成されていることを特徴とする請求項１または２に記載のエスカッション。
【請求項４】
前記基板に略Ｌ字形の位置決め孔を設け、この位置決め孔に前記突起を嵌合させて位置決めしたことを特徴とする請求項１ないし３のいずれか一項に記載のエスカッション。
【請求項５】
前記タッチパネルの隅部を前記突起に当接させて位置決めしたことを特徴とする請求項１ないし４のいずれか一項に記載のエスカッション。
【請求項６】
再生装置本体と、この本体の前面に設けたエスカッションとを備えた車載用音響装置において、前記エスカッションが、エスカッション本体の裏面に基板、タッチパネルおよび液晶を順に配置し、さらにカバーを配置し、このカバーをエスカッション本体の裏面にねじ止めして構成され、前記エスカッション本体の裏面に略Ｌ字形の位置決め突起を設け、略Ｌ字形の位置決め突起により、少なくとも前記基板、前記タッチパネルを位置決めしたことを特徴とする車載用音響装置。
【発明の詳細な説明】
【技術分野】
【０００１】
本発明は、基板、タッチパネルおよび液晶を有したエスカッションおよび車載用音響装置に関する。
【背景技術】
【０００２】
一般に、車載用音響装置では記録媒体としてのＭＤやＣＤ−ＲＯＭ等を再生するものが知られている。この種のものでは、例えば再生装置本体と、その前面に設けたエスカッションとを備え、このエスカッションが、エスカッション本体の裏面に基板、タッチパネルおよび液晶を順に重ねて配置し、さらにカバーを配置し、このカバーをエスカッション本体の裏面のボスにねじ止めして構成されている（例えば、特許文献１参照）。
【特許文献１】特開２００３−３３７３２３号公報
【発明の開示】
【発明が解決しようとする課題】
【０００３】
しかし、従来の構成では、エスカッション本体の裏面に、まず、基板を位置決めガイドにより位置決めし、ついで、別の位置決めガイドによりタッチパネルを位置決めし、さらに別の位置決めガイドにより液晶を位置決めしており、エスカッション本体の裏面には、これら複数のガイドを設けなければならず、エスカッション本体の構造が複雑化し、位置決めが困難であり、コスト高であった。
【０００４】
そこで、本発明の目的は、上述した従来の技術が有する課題を解消し、構造を簡素化して、簡単に組み立て、および製造できるエスカッションおよび車載用音響装置を提供することにある。
【課題を解決するための手段】
【０００５】
本発明は、エスカッション本体の裏面に基板、タッチパネルおよび液晶を順に配置し、さらにカバーを配置し、このカバーを前記エスカッション本体の裏面にねじ止めしたエスカッションにおいて、前記エスカッション本体の裏面に略Ｌ字形の位置決め突起を設け、略Ｌ字形の位置決め突起により、少なくとも前記基板、前記タッチパネルを位置決めしたことを特徴とする。
【０００６】
本発明では、基板、タッチパネルが共通の略Ｌ字形の位置決め突起で位置決めされるため、従来のように、位置決めガイドを各々別々に設けなくてもよく、エスカッション本体の構造が簡素化し、位置決めが容易になる。
【０００７】
この場合において、前記突起が前記基板、前記タッチパネルのそれぞれの隅部に対応して設けられていてもよい。前記基板が前記エスカッション本体の３つの辺に対応して略コ字形に形成されていてもよい。前記基板に略Ｌ字形の位置決め孔を設け、この位置決め孔に前記突起を嵌合させて位置決めしてもよい。前記タッチパネルの隅部を前記突起に当接させて位置決めしてもよい。
【０００８】
また、再生装置本体と、この本体の前面に設けたエスカッションとを備えた車載用音響装置において、前記エスカッションが、エスカッション本体の裏面に基板、タッチパネルおよび液晶を順に配置し、さらにカバーを配置し、このカバーをエスカッション本体の裏面にねじ止めして構成され、前記エスカッション本体の裏面に略Ｌ字形の位置決め突起を設け、略Ｌ字形の位置決め突起により、少なくとも前記基板、前記タッチパネルを位置決めしてもよい。
【発明の効果】
【０００９】
本発明では、基板、タッチパネルが共通の略Ｌ字形の位置決め突起で位置決めされるため、従来のように、位置決めガイドを別々に設けなくてもよく、エスカッション本体の構造が簡素化し、位置決めが容易になる。
【発明を実施するための最良の形態】
【００１０】
以下、本発明の一実施形態を、図面に基づいて説明する。
図１において、１０は、車載用音響装置を示し、この車載用音響装置１０は、再生装置本体１１と、その前面に配置されたエスカッション１３とを備えている。エスカッション１３の周辺部には樹脂製の各種選択スイッチ（押しボタン）１５が配置され、それぞれ図示は省略したが、エスカッション１３が開かれると、再生装置本体１１の前部にＣＤやＤＶＤ等を挿入自在な挿入口が露出し、この挿入口から挿入されたＣＤやＤＶＤ等が、再生装置本体に入って、記録情報再生が行われる。
【００１１】
本構成では、エスカッション１３が、図２Ａに示すように、箱形のエスカッション本体２１と、その裏面に接し、上記エスカッション本体２１の３つの辺２１Ａ，２１Ｂ，２１Ｃに対応して略コ字形に形成された基板２３と、この基板２３の上に重ねて配置されたガラス製のタッチパネル２５と、タッチパネル２５に重ねて配置された液晶モジュール２７とを備えて構成されている。
液晶モジュール２７の上には固定板２９が重ねられ、その上には液晶回路３１が配置され、さらにカバー３３が配置されている。
このカバー３３は、４隅の位置で各々ねじ３５が貫通し、このねじ３５がエスカッション本体２１の裏面に設けたボス（不図示）に螺入し、これによりエスカッション１３が組み立てられている。
【００１２】
本実施の形態では、エスカッション本体２１の裏面に略Ｌ字形の一対の位置決め突起３７が設けられ、略Ｌ字形の位置決め突起３７により、図２Ｂに示すように、基板２３、およびタッチパネル２５が位置決めされている。
すなわち、一対の突起３７は基板２３、およびタッチパネル２５のそれぞれの隅部に対応して設けられている。
基板２３の下端の両側隅部には、それぞれ略Ｌ字形の位置決め孔３９が形成され、この位置決め孔３９に上記突起３７が嵌合し、これにより基板２３が位置決めされている。また、タッチパネル２５は、その隅部を略Ｌ字形の突起３７の内面３７Ａにそれぞれ当接して位置決めされている。
【００１３】
本実施の形態では、基板２３、タッチパネル２５が共通の略Ｌ字形の位置決め突起３７で位置決めされるため、少なくともこれら部材の位置決めにおいては、従来のように、各部材毎の上下、並びに左右方向への位置決めガイド（図示せず）を別々に設けなくてもよく、エスカッション本体２１の構造が簡素化し、これによりコンパクト化が図れると共に、位置決め作業が容易になる。図２Ａに示すように、上記３つの辺２１Ａ，２１Ｂ，２１Ｃに対応して略コ字形に形成した基板２３では、基板２３の各上端２３Ａ，２３Ａが矢印Ａ側に変形し易く、位置決めし難い。本実施の形態では、基板２３の下端２３Ｂの両側隅部に、それぞれ略Ｌ字形の位置決め孔３９を形成し、この位置決め孔３９に突起３７を嵌合して基板２３を位置決めするため、各上端２３Ａ，２３Ａの変形とは無関係に基板２３を精度良く位置決めできる。
【００１４】
以上、一実施の形態に基づいて本発明を説明したが、本発明は、これに限定されるものではない。上記構成では、位置決め突起３７を基板２３およびタッチパネル２５の各下端の両側隅部に対応して設けたが、これに限定されず、例えば、基板２３およびタッチパネル２５の各上端の両側隅部に対応して設けてもよい。この突起３７は、基板２３およびタッチパネル２５だけでなく、液晶モジュール２７、固定板２９、液晶回路３１、カバー３３などを同時に位置決めしてもよい。
【図面の簡単な説明】
【００１５】
【図１】本発明の一実施の形態を示す斜視図である。
【図２】Ａは、エスカッションの分解斜視図、Ｂは、位置決め部の拡大図である。
【符号の説明】
【００１６】
１０  車載用音響装置
１１  再生装置本体
１３  エスカッション
２１  エスカッション本体
２３  基板
２５  タッチパネル
２７  液晶モジュール
２９  固定板
３３  カバー
３５  ねじ
３７  位置決め突起
３９  位置決め孔
【図１】
2007308054.tif 000003
【図２】
2007308054.tif 000004